(57)【要約】【課題】移動子の復帰制止時のストッパに対する衝突音の発生防止、並びに通常時でのストッパに対する移動子の直接の接触音の発生の防止が、クッションを別途必要とすることなくできるようにする。【解決手段】移動子２が、軟質弾性材から成るスプリングであるラバースプリング１の復元力により復帰されてストッパ８によりプッシュ操作前の位置に制止されるときの、衝突音の発生の防止、並びに通常時でのストッパ８に対する移動子２の直接の接触音の発生の防止が、ストッパ８にラバースプリング１がその一部１ａ´を当接させることで、本来、移動子２を復帰させるためのラバースプリング１によりできるようにした。【選択図】図１
2008041312.tif 000002
【特許請求の範囲】
【請求項１】
操作者のプッシュ操作により移動される移動子と、
この移動される移動子より圧縮され、その圧縮状態からの復元力にて移動子を復帰させる軟質弾性材から成るスプリングと、
このスプリングによる復帰力に抗して前記移動子をプッシュ操作前の位置に制止するストッパとを具備し、
そのストッパには前記移動子の移動による収縮状態から復元する前記スプリングがその一部を当接させて、前記移動子の制止がされるようにしたことを特徴とするプッシュ操作装置。
【発明の詳細な説明】
【技術分野】
【０００１】
本発明は、移動子の復帰制止構造を改良したプッシュ操作装置に関する。
【背景技術】
【０００２】
従来より、例えば自動車など車両のハザードスイッチを初めとしたプッシュスイッチ等のプッシュ操作装置においては、操作者のプッシュ操作により移動される移動子が具えられると共に、その移動される移動子より圧縮されて該圧縮状態からの復元力により移動子を復帰させるコイルスプリング、並びにそのコイルスプリングによる復帰力に抗して移動子をプッシュ操作前の位置に制止するストッパが具えられたものが一般的に供されている（例えば特許文献１参照）。
【特許文献１】特開平５−１６６４３６号公報
【発明の開示】
【発明が解決しようとする課題】
【０００３】
上記従来のものの場合、操作者のプッシュ操作に対して、適度な節度が与えられることが好ましい。その節度を与えるには、一般的には、別途コイルスプリングやそれの弾発力で移動子に係接する節度ピース等が必要とされており、コスト高となる。又、それらによって与えられる節度も、操作者の感覚ではソフトさに欠け、好ましいものではなかった。
【０００４】
これに対して、図３に示すように、軟質弾性材から成るスプリングとしてラバースプリング１を用いたものがある。このラバースプリング１は、移動子２を収容したボデー３の奥面に取付けられて移動子２の先端部との間に介在されており、移動子２が図示しない操作者によりノブ４側より矢印Ａで示すようにプッシュ操作されて移動されたとき、ラバースプリング１が圧縮され、この状態から、移動子２のプッシュ操作が解除されれば、ラバースプリング１の上記圧縮状態からの復元力にて、移動子２を復帰させるようになっている。すなわち、プッシュ操作された移動子２の復帰用に、従来のコイルスプリングに代わって、ラバースプリング１が用いられているのである。
【０００５】
このものによれば、ラバースプリング１が移動子２により圧縮されたとき、該ラバースプリング１が弾性変形部１ｂで座屈することにより、操作荷重が減り、このときにクリック感が得られ、操作に節度が与えられる。又、それは操作者の感覚ではソフトなものであり、好ましい。
【０００６】
なお、ボデー３には底部に固定コンタクト５，６が設けられ、他方、移動子２には下面に可動コンタクト７が設けられていて、上記操作者のプッシュ操作に基づく移動子２の移動により、可動コンタクト７が固定コンタクト５との接触から固定コンタクト６との接触へと位置を変えるようになっており、この可動コンタクト７の接触位置変えに上記ラバースプリング１の座屈による節度が合うようになっている。すなわち、操作者はその節度（クリック）を感じたときに可動コンタクト７の接触位置変え（スイッチの切替え）を知ることができるようになっているのである。
【０００７】
そして又、ボデー３には底部にストッパ８が突設されており、これに対して、移動子２には下面部に凹部９が形成され、この凹部９にストッパ８が収容されている。更に、凹部９にはラバースプリング１側の側壁面にクッション１０が取付けられており、ラバースプリング１の復元力にて移動子２が復帰されるとき、クッション１０がストッパ８に弾性的に衝接して制止されるようになっている。その静止位置は移動子２のプッシュ操作前の位置であり、すなわち、移動子２がクッション１０を介してストッパ８によりプッシュ操作前の位置に制止されるようになっており、クッション１０はそのときの衝突音の発生を防止するようになっている。
【０００８】
加えて、クッション１０は、移動子２をプッシュ操作しない通常時にも、周囲の振動などによって移動子２がストッパ８に直接接触して音（いわゆるびびり音）を出すのを防止するようにもなっている。
【０００９】
このように、上述のものにおけるクッション１０は、移動子２がラバースプリング１の復元力により復帰されてストッパ８によりプッシュ操作前の位置に制止されるときの衝突音の発生を防止し、併せて、通常時でのストッパ８に対する移動子２の直接の接触音の発生を防止するのに効果を奏するが、しかし、そのためにクッション１０を別途必要とし、そのため、部品点数が増すとか、組立工数が増す、更にはその組立用部材として接着剤を別途必要とする等の点により、コスト高となる問題を有していた。
【００１０】
本発明は上述の事情に鑑みてなされたものであり、従ってその目的は、移動子が軟質弾性材から成るスプリングの復元力により復帰されてストッパによりプッシュ操作前の位置に制止されるときの衝突音の発生の防止、並びに通常時でのストッパに対する移動子の直接の接触音の発生の防止が、クッションを別途必要とすることなくできるプッシュ操作装置を提供するにある。
【課題を解決するための手段】
【００１１】
上記目的を達成するために、本発明のプッシュ操作装置は、操作者のプッシュ操作により移動される移動子と、この移動される移動子より圧縮され、その圧縮状態からの復元力にて移動子を復帰させる軟質弾性材から成るスプリングと、このスプリングによる復帰力に抗して前記移動子をプッシュ操作前の位置に制止するストッパとを具備し、そのストッパには前記移動子の移動による収縮状態から復元する前記スプリングがその一部を当接させて、前記移動子の制止がされるようにしたことを特徴とする。
【発明の効果】
【００１２】
上記手段によれば、移動子が軟質弾性材から成るスプリングの復元力により復帰されてストッパによりプッシュ操作前の位置に制止されるときの衝突音の発生の防止、並びに通常時でのストッパに対する移動子の直接の接触音の発生の防止が、軟質弾性材から成るスプリングででき、別途クッションを必要とすることがない。
【発明を実施するための最良の形態】
【００１３】
以下、本発明の一実施例（一実施形態）につき、図１及び図２を参照して説明する。
まず、図１には、先の図３と同一の部分に同一の符号を付して示しており、従って、まず、軟質弾性材から成るスプリングであるラバースプリング１を、移動子２を収容したボデー３の奥面と移動子２の先端部との間に介在させている。移動子２の頭部にはノブ４を設けている。ボデー３の底部には、固定コンタクト５，６を設けており、これに対して、移動子２には下面に可動コンタクト７を設けている。ボデー３の底部には又、ストッパ８を突設しており、これに対して、移動子２には下面部に凹部９を形成し、この凹部９にストッパ８を収容している。
【００１４】
さて、ラバースプリング１は、詳細には、矩形フレーム状のベース部１ａの片側に（図で左側）に、先窄みの屋根形で薄肉状の弾性変形部１ｂを有し、更にその片側の頂部に角柱状の中心部１ｃを有するもので、全体にラバーすなわちゴム（例えばシリコーンゴムなど）から成っており、弾力性に富んでいる。
【００１５】
これに対して、移動子２の先端部には、上記凹部９に連なる凹部１１を形成しており、この凹部１１の奥面に上記ラバースプリング１のベース部１ａを取付け、該ベース部１ａの下部１ａ´のみを上記凹部９に露出させている。そして、ラバースプリング１の中心部１ｃの先端面を前記ボデー３の奥面に当接させている。すなわち、本構成のものの場合、ラバースプリング１を従来のものとは反対の向きにして、移動子２の先端部に取付けると共に、移動子２の凹部９に露出させ、そして、移動子２の先端部とボデー３の奥面との間に介在させている。
【００１６】
なお、移動子２の凹部９は、図２に示すように、移動子２の下面部の両側に形成しており、ストッパ８は２つあって、その一つ一つを凹部９に収容している。又、凹部１１は下部の両側で凹部９に連なっており、ラバースプリング１のベース部１ａの下部１ａ´も、図２では図示しないが、両側で凹部９に露出させ、上記ストッパ８の一つ一つに対応させている。
【００１７】
次に、上記構成のものの作用を述べる。
移動子２が図示しない操作者によりノブ４側より矢印Ａで示すようにプッシュ操作されると、その方向に移動子２が移動されることにより、ラバースプリング１が圧縮される。圧縮されたラバースプリング１は弾性変形部１ｂで座屈することにより、操作荷重が減り、このときにクリック感が得られ、操作に節度が与えられる。又、このとき、可動コンタクト７が固定コンタクト５との接触から固定コンタクト６との接触へと位置を変える。
【００１８】
そして、移動子２のプッシュ操作が解除すれば、ラバースプリング１の上記圧縮状態からの復元力にて移動子２が復帰される。このとき、上記構成のものでは、ラバースプリング１の一部であるベース部１ａの下部１ａ´（移動子２の凹部９に露出した部分）がストッパ８に弾性的に衝接して制止される。その静止位置は移動子２のプッシュ操作前の位置であり、すなわち、移動子２がラバースプリング１のベース部１ａの下部１ａ´を介してストッパ８によりプッシュ操作前の位置に制止されるようになっており、ラバースプリング１のベース部１ａの下部１ａ´はそのときの衝突音の発生を防止するようになっている。
【００１９】
加えて、ラバースプリング１のベース部１ａの下部１ａ´は、移動子２をプッシュ操作しない通常時にも、周囲の振動などによって移動子２がストッパ８に直接接触して音を出すのを防止するようにもなっている。
【００２０】
このように上記構成のものでは、移動子２がラバースプリング１の復元力により復帰されてストッパ８によりプッシュ操作前の位置に制止されるときの衝突音の発生の防止、並びに通常時でのストッパ８に対する移動子２の直接の接触音の発生の防止が、ラバースプリング１のベース部１ａの下部１ａ´ででき、従来のもののようなクッション１０を別途必要とすることがない。かくして、部品点数を削減できると共に、組立工数も削減でき、更にはその組立用部材として接着剤を別途必要とすることもない等の点により、コストの低減化を達成することができる。
【００２１】
なお、本発明は上記し且つ図面に示した実施例にのみ限定されるものではなく、特にラバースプリングで例示した軟質弾性材から成るスプリングは、ラバー以外の軟質弾性材、例えば合成樹脂等から成っていても良く、又、全体として、自動車など車両のプッシュスイッチ以外にも適用できるものであり、従って、移動子２の移動に応動するものも、可動コンタクト７に限られないなど、要旨を逸脱しない範囲内で適宜変更して実施し得る。
【図面の簡単な説明】
【００２２】
【図１】本発明の一実施例を、一部を切除して示す側面図
【図２】一部を切除して示す下面図
【図３】従来例を示す図１相当図
【符号の説明】
【００２３】
図面中、１はラバースプリング（軟質弾性材から成るスプリング）、１ａ´はラバースプリングのベース部の下部（軟質弾性材から成るスプリングの一部）、２は移動子、８はストッパを示す。
【図１】
2008041312.tif 000003
【図２】
2008041312.tif 000004
【図３】
2008041312.tif 000005